(57)【要約】      （修正有）【課題】建築用鋼管足場の養生シートの取付け器具において、容易にはずれないような形状を有し、簡単な操作で短時間に養生シートの取り付け、取り外しができる鋼管足場の養生シート取付けフックを提供する。【解決方法】建築用鋼管足場の縦、横の丸棒に引っ掛け、取り外しを行うためのＳ字状の上部の部分１と、養生シートの穴に入れ込むための１〜２重の螺旋状の下部の部分２とからなることを特徴とし、あらかじめ地上で下部の部分を養生シートの穴に入れて抜けなくしておき、足場の上にあがってから上部のＳ字状の上半分の部分を鋼管足場の縦、横の丸棒にワンタッチで引っかけたり、取り外したりする。【選択図】図１
0003195531.tif 000002
【実用新案登録請求の範囲】
【請求項１】
建築用鋼管足場の縦、横の丸棒に本考案の上部のＳ字状の上半分の部分を容易に引っかけ、取り外しができる大きさと形状にし、下部の部分は１〜２重の螺旋状の形にして、養生シートの穴に入れ込むと簡単にははずれない、以上の構成からなることを特徴とする、鋼管足場の養生シート取付けフック。
【請求項２】
養生シートの端の角の穴に使用して、縦の鋼管の丸棒にかけるために、上部のＳ字状の上半分の部分と下部の渦巻状の部分の間の長さを［請求項１］の長さより、長くした鋼管足場のシート取付けフック。
【請求項３】
本考案の下部の部分を上部の部分より細い太さにする。
【請求項４】
本考案の下部の形状が一重の細長い輪状で先端を交差した形状
【請求項５】
本考案の下部の形状が一重の細長い輪状で先端を１〜２個のカーブの山にした形状
【考案の詳細な説明】
【技術分野】
【０００１】  建築用の鋼管足場にゴミ、洗浄水、塗料などの飛散防止用や防災用の養生シートを取付けする器具に関するものである。
【背景技術】
【０００２】  建築用の鋼管足場に養生シートを取り付けるための器具は多数に存在する。
【先行技術】
【０００３】▲１▼、養生シートに付いている穴と鋼管足場の縦、横の丸棒鋼管に取り付ける方法は一般的に布やナイロン製のヒモで職人の手で蝶々結びをして結びつけたり、取り外したりする。布やナイロン製のひもはコスト的に安く、何回も使用が可能であり、軽くて取扱いやすい。
▲２▼、ディスプレイフックと言ってあらかじめカーテンなどをパイプに掛けるときに使用するが、それを太く、大きくして、あらかじめ鋼管足場の縦、横の丸棒にはめ込んでおいてとりつける。縦長のマル型で、開閉はバネ式で、マル型の中へ養生シートの穴へいれる。鋼製、ステンレス製の楕円形で開閉はバネ式である。
▲４▼、Ｓ字フック；
Ｓ字状の形でＳ字の上部半分の部分で丸棒の鋼管にひっかけ、下部のＳ字状の部分で養生シートの穴にいれる器具。鋼製、ステンレス製であるが下部の部分が取り外したりする時に養生シートの穴からはずれる場合があり、あまり普及していない。
▲５▼、パラマル型フック；
上部がＳ字状の上側、下部がディスプレイフックの形である器具。鋼製、ステンレス製である。ただ、養生シートの穴からはずれる欠点がある。
▲６▼、ステンレススプリング；
ひょうたん型で接続、開閉部分はバネ式やネジ式である器具。一本の鋼製、スレンレス製の構造のために養生シートの穴と鋼管の丸棒に取り付けたり、外したりしなければならない欠点がある。
【考案の概要】
【０００４】  本考案はいろいろな細い丸形と平たい角形の一本の鋼材、ステンレス、プラスチック製などの材質で、上部の形状はＳ字状の上半分の形状であり、下部の形状は１〜２重の細長い螺旋状の形として、上部のＳ字状の上半分の部分は鋼管足場の縦、横の丸棒に引っかけ、もう一方の下部の螺旋状の部分は養生シートの穴に入れて吊るせるようにして、容易にはずれないような形状にしてある建築用鋼管足場用、養生シート取付けフックである。一般的に使用されている布やナイロン製のヒモよりはワンタッチで鋼管の丸棒に引っかけたり、取り外したりするという簡単な操作が可能であり、短時間の作業ができてコストダウンになる建築用、鋼管足場のシート取付けフック。
【考案が解決しようとする課題】
【０００５】  防塵、防災、防水などの養生シートを鋼管足場の縦、横の丸棒に取り付けたり、取り外したりする器具は布やナイロン製のヒモが一般的に広く使用されているが、蝶々結びで取り付けたり、外したりするのは人間の手であり、一つずつ、結んだり、外したりするのは大変な労力と時間を要する。もっと簡単な方法と器具があれば職人達の労力を減らせて建築費の軽減になる。
【課題を解決するための手段】
【０００６】  本考案はいろいろな太さと幅で、鋼材、ステンレス、プラスチック製などでつくり、一本の材質で、一体化させた器具であり、上部は鋼管足場の縦、横の丸棒に簡単に引っかけたり、取り外したり出来るようにＳ字状の上半分の形状にしてあり、鋼管丸棒の横棒の直径；４５〜５０ｍｍ、縦棒の直径；５５〜６０ｍｍの大きさであるので、６０ｍｍより少し大き目の内径にしておく。本考案の下部の形状は１〜２重の細長い螺旋状の形状にしてあり、小さい、細長い輪の形状により養生シートの内径；１１〜１２ｍｍの穴に差し込んで養生シートの穴の上部に引っかけて、簡単に抜けないようにする。また、布やナイロン製のヒモよりは鋼製、ステンレス、プラスチック製のために同じ鋼管の丸棒に上、下、左、右に滑る。屋根や足場を歩かずに一か所で引っ張り寄せることができ、作業の短縮ができる。また、プラスッチク製などで大量生産をすることにより、安くすることも可能である。本考案の下部を地上にて、あらかじめに養生シートの穴に入れて抜けないようにしておくことにより、作業性を短縮する。
【考案の効果】
【０００７】  屋根や鋼管足場の上の作業は高所で狭い場所などで危険をともなう。本考案を使用すると、鋼管足場の丸棒に養生シートをつるしたり、取り外したりする作業はワンタッチで、操作が簡単で時間の短縮となり、作業者にとってもストレスが少なくてすみ、建築費用も削減できる。
【図面の簡単な説明】
【０００８】
【図１】  正面図
【図２】  側面図
【図３】  上からの図
【図４】  斜め図
【図５】  本考案を足場の横と縦の丸棒の鋼管と養生シートにつけた図
【図６】  本考案の下部の形状  ▲１▼１〜２重の螺旋状の形  （１）正面図  （２）側面図  （３）上からの図  ▲２▼一重の輪状で先端を交差させた形  （１）正面図  （２）側面図  （３）上からの図  ▲３▼一重の輪状で先端を１〜２個のカーブの山にした形  （１）正面図  （２）側面図  （３）上からの図
【図７】  本考案の上部と下部の径の太さを変えた図  （１）正面図  （２）側面図  （３）上からの図
【符号の説明】
【０００９】▲１▼、本考案の上部で鋼管の丸棒にかける部分
▲２▼、本考案の下部で養生シートの穴に入れる部分
▲３▼、鋼管足場の横の丸棒
▲４▼、鋼管足場の縦の丸棒
▲５▼、養生シート
▲６▼、養生シートの穴
【考案を実施するための形態】
【００１０】  最初に地上で、本考案の下部の部分の渦巻状の部分で細長い一重の輪の部分を養生シートに付いているほとんどの穴に差し込んで二重目に入れて抜けなくしておく。鋼管足場の上にあがって、鋼管の縦、横の丸棒に本考案の上部のＳ字状の上半分の部分を引っかけると養生シートをかけることができる。取り外すときはＳ字状の上半分の部分を上や斜め上に引っ張るだけで取り外すことができる。また、本考案の縦棒にかけたＳ字状の部分を、はじめに取り外して置けばもう一方の位置で動かずに、引っ張るだけで横棒にかけたＳ字状の上半分の部分が動いて手元に集めて、あまり動かずに作業ができる。
【産業上の利用可能性】
【００１１】  養生シートはほとんどの現場で布やナイロン製のヒモで蝶々結びの作業をしている。人間の手で一つ、一つ結んだり、解いたりするのは大変な労力と時間を要する。本考案を使えば労力と時間が短縮されてコストダウンにもなり、工事費の節約ができて建築業界に大いに寄与する。
【図１】
0003195531.tif 000003
【図２】
0003195531.tif 000004
【図３】
0003195531.tif 000005
【図４】
0003195531.tif 000006
【図５】
0003195531.tif 000007
【図６】
0003195531.tif 000008
【図７】
0003195531.tif 000009
【手続補正書】
【提出日】平成26年10月30日(2014.10.30)
【手続補正１】
【補正対象書類名】実用新案登録請求の範囲
【補正対象項目名】全文
【補正方法】変更
【補正の内容】
【実用新案登録請求の範囲】
【請求項１】
建築用鋼管足場の縦、横の丸棒に引っ掛け、取り外しを行うためのＳ字状の上部の部分と、養生シートの穴に入れ込むための１〜２重の螺旋状の下部の部分とからなることを特徴とする鋼管足場の養生シート取付けフック。
【請求項２】
前記下部の部分を前期上部の部分より細い太さにすることを特徴とする請求項１に記載の鋼管足場の養生シート取付けフック。
【請求項３】
前期下部の部分の形状が一重の細長い輪状で先端を交差した形状であることを特徴とする請求項１に記載の鋼管足場の養生シート取付けフック。
【請求項４】
前期下部の部分の形状が一重の細長い輪状で先端を１〜２個のカーブの山にした形状であることを特徴とする請求項１に記載の鋼管足場の養生シート取付けフック。